(57)【要約】  相対的に移動が可能な２以上のディスプレイ（１２０，１２４）によって規定される可変表示領域に画像が表示される。検出器（１１６，１１８）は、表示領域のサイズが変化するディスプレイ（１２０，１２４）の動きを検出する。プロセッサ（１１２）は、その動きの検出に応じて、ディスプレイ（１２０，１２４）の相対的な移動によって形成される新たな表示領域のサイズを決定し、表示する画像を、その新たな表示領域にフィットするよう動的に変更する。
2012502580.tif 000002
【特許請求の範囲】
【請求項１】
相対的に移動可能な少なくとも２つのディスプレイ（１２０，１２４）により規定される可変の表示領域への画像の表示を制御する方法であって、
第１の表示領域にフィットするよう画像を表示するステップと、
画像の表示中に前記表示領域のサイズが変化する前記少なくとも２つのディスプレイ（１２０，１２４）の間における相対的な移動を検出するステップと、
前記少なくとも２つのディスプレイ（１２０，１２４）の間における前記相対的な移動によって形成される第２の表示領域のサイズを決定するステップと、
前記相対的な移動の検出に応じて、前記表示した画像を前記第２の表示領域にフィットするように動的に変更するステップと、
前記少なくとも２つのディスプレイ（１２０，１２４）のうちの少なくとも１つのディスプレイに表示するために、前記変更した画像を出力するステップと、
を有することを特徴とする方法。
【請求項２】
前記少なくとも２つのディスプレイ（１２０，１２４）は重複しており、前記相対的な移動は、前記表示領域を変化させるために、前記少なくとも２つのディスプレイ（１２０，１２４）のうちの１つのディスプレイの部分を露出させ又は隠蔽することを特徴とする請求項１に記載の方法。
【請求項３】
前記相対的な移動は、少なくとも一方向におけるスライド移動を含むことを特徴とする請求項２に記載の方法。
【請求項４】
前記表示された画像を動的に変更するステップは、該画像のクロップ／非クロップ、該画像のスケール、該画像の１次元におけるストレッチ／シュリンク、の少なくともいずれか１つを含むことを特徴とする請求項１に記載の方法。
【請求項５】
前記変更した画像が前記第２の表示領域の中央に配置されるよう前記第２の表示領域における画像を移動するステップを更に有することを特徴とする請求項４に記載の方法。
【請求項６】
前記少なくとも２つのディスプレイ（１２０，１２４）の間における前記相対的な移動を検出するステップは、少なくとも１つの動き検出器（１１６）を用いて前記相対的な移動を検出するステップを含むことを特徴とする請求項１に記載の方法。
【請求項７】
前記動き検出器（１１６）は、前記少なくとも２つのディスプレイ（１２０，１２４）の間における相対的な移動を検出するための加速度計を含むことを特徴とする請求項６に記載の方法。
【請求項８】
前記動き検出器（１１６）は、前記少なくとも２つのディスプレイ（１２０，１２４）の各々の移動を検出するための別個の加速度計を含むことを特徴とする請求項６に記載の方法。
【請求項９】
前記少なくとも２つのディスプレイ（１２０，１２４）の間における前記相対的な移動を検出するステップは、少なくとも１つの位置検出器（１１８）を用いて位置の変化を検出するステップを含むことを特徴とする請求項１に記載の方法。
【請求項１０】
前記位置検出器（１１８）は１又は２以上の光学センサ（１１８）を含むことを特徴とする請求項９に記載の方法。
【請求項１１】
ユーザが視認可能な表示領域が変化するよう相対的に移動可能な第１及び第２のディスプレイ（１２０，１２４）と、
前記表示領域が変化する前記第１及び第２のディスプレイ（１２０，１２４）の間における相対的な移動を検出する検出器（１１６，１１８）と、
前記検出器（１１６，１１８）による前記第１及び第２のディスプレイ（１２０，１２４）の間における前記相対的な移動の検出に応じて、有効表示領域のサイズを決定し、画像を、該有効表示領域のサイズにフィットするように変更するプロセッサ（１１２）と、
前記第１及び第２のディスプレイ（１２０，１２４）のうちの少なくとも１つのディスプレイに表示するために、前記変更した画像を出力するディスプレイコントローラ（１１４）と、
を有することを特徴とする表示装置（１００）。
【請求項１２】
前記第１及び第２のディスプレイ（１２０，１２４）は重複していることを特徴とする請求項１１に記載の表示装置（１００）。
【請求項１３】
前記第１及び第２のディスプレイ（１２０，１２４）は、相対的にスライドすることを特徴とする請求項１２に記載の表示装置（１００）。
【請求項１４】
前記プロセッサ（１１２）は、前記画像のクロップ／非クロップ、前記画像のスケール、前記表示画像の１次元におけるストレッチ／シュリンク、の少なくともいずれか１つを実行することにより、前記画像を前記有効表示領域のサイズにフィットするように変更することを特徴とする請求項１１に記載の表示装置（１００）。
【請求項１５】
前記プロセッサ（１１２）は、更に、表示される画像が前記ディスプレイ（１２０，１２４）の中央に配置されることが維持されるよう該画像を移動することを特徴とする請求項１４に記載の表示装置（１００）。
【請求項１６】
前記検出器（１１６，１１８）は、少なくとも１つの動き検出器（１１６）を含むことを特徴とする請求項１１に記載の表示装置（１００）。
【請求項１７】
前記動き検出器（１１６）は、前記第１及び第２のディスプレイ（１２０，１２４）の間における相対的な移動を検出するための加速度計を含むことを特徴とする請求項１６に記載の表示装置（１００）。
【請求項１８】
前記動き検出器（１１６）は、前記第１及び第２のディスプレイ（１２０，１２４）の各々の移動を検出するための別個の加速度計を含むことを特徴とする請求項１６に記載の表示装置（１００）。
【請求項１９】
前記検出器（１１６，１１８）は位置検出器（１１８）を含むことを特徴とする請求項１１に記載の表示装置（１００）。
【請求項２０】
前記位置検出器（１１８）は１又は２以上の光学センサ（１１８）を含むことを特徴とする請求項１９に記載の表示装置（１００）。
【発明の詳細な説明】
【技術分野】
【０００１】
本発明は、可変サイズの表示領域に画像を表示するための表示装置及び方法に関する。
【背景技術】
【０００２】
近年、携帯電話は、音声通信主体の装置から音声通信及びデータ通信の両方が可能な多機能通信装置へと発展を遂げている。現在では、携帯電話は、ネットサーフィン、電子メールの送受信、友人とのチャット、画像の閲覧、音楽の再生といった、従来はコンピュータが必要であった各種のタスクの実行に利用されている。現在の多くの携帯電話は、静止画や動画を撮影するカメラも備えている。
【発明の概要】
【発明が解決しようとする課題】
【０００３】
携帯電話のメーカが直面している課題の一つは、いかにして携帯電話のサイズを大きくすることなく表示領域を拡大するかということである。表示領域が大きければ携帯電話はより使いやすくなるし、一般的に、そのほうが消費者にも好まれる。それと同時に、消費者は、小さな形状の携帯電話を好む。したがって、小さな形状を保ちつつ、表示領域を拡大する新たな手法が望まれている。
【課題を解決するための手段】
【０００４】
本発明は、小さな形状を保ちつつも、携帯電話又はその他の携帯装置における表示領域のサイズを拡大することを可能にする技術を提供する。携帯電話又はその他の携帯装置には、互いにスライドする２つ以上のディスプレイが設けられ、これにより有効表示領域のサイズが変化する。例えば、これらのディスプレイは重複するように配置され、相対的にスライド移動が可能に構成される。検出器は、これらのディスプレイの相対的な移動を検出する。この相対的な移動に応じて、プロセッサは、有効表示領域のサイズを決定し、その有効表示領域にフィットするよう表示画像を動的に変更する。したがって、表示領域のサイズが大きくなるにつれて表示画像を拡大し、表示画像のサイズが小さくなるにつれて表示画像を縮小することができる。
【０００５】
本発明の実施形態は、相対的に移動可能な少なくとも２つのディスプレイにより規定される可変の表示領域への画像の表示を制御する方法を含む。この方法は、第１の表示領域にフィットするよう画像を表示するステップと、画像の表示中に前記表示領域のサイズが変化する前記少なくとも２つのディスプレイ間における相対的な移動を検出するステップと、前記少なくとも２つのディスプレイの間における前記相対的な移動によって形成される第２の表示領域のサイズを決定するステップと、前記相対的な移動の検出に応じて、前記表示した画像を前記第２の表示領域にフィットするように動的に変更するステップと、前記少なくとも２つのディスプレイのうちの少なくとも１つのディスプレイに表示するために、前記変更した画像を出力するステップとを有する。
【０００６】
実施形態において、前記少なくとも２つのディスプレイは重複しており、前記相対的な移動は、前記表示領域を変化させるために、前記少なくとも２つのディスプレイのうちの１つのディスプレイの部分を露出させ又は隠蔽する。
【０００７】
方法の一例において、前記相対的な移動は、少なくとも一方向におけるスライド移動を含む。
【０００８】
方法の一例において、前記表示された画像を動的に変更するステップは、該画像のクロップ／非クロップ、該画像のスケール、該画像の１次元におけるストレッチ／シュリンク、の少なくともいずれか１つを含む。
【０００９】
方法の一例は、前記変更した画像が前記第２の表示領域の中央に配置されるよう前記第２の表示領域における画像を移動するステップを更に有する。
【００１０】
方法の一例において、前記少なくとも２つのディスプレイの間における前記相対的な移動を検出するステップは、少なくとも１つの動き検出器を用いて前記相対的な移動を検出するステップを含む。
【００１１】
方法の一例において、前記動き検出器は、前記少なくとも２つのディスプレイの間における相対的な移動を検出するための加速度計を含む。
【００１２】
方法の一例において、前記動き検出器は、前記少なくとも２つのディスプレイの各々の移動を検出するための別個の加速度計を含む。
【００１３】
方法の一例において、前記少なくとも２つのディスプレイの間における前記相対的な移動を検出するステップは、少なくとも１つの位置検出器を用いて位置の変化を検出するステップを含む。
【００１４】
方法の一例において、前記位置検出器は１又は２以上の光学センサを含む。
【００１５】
本発明の実施形態は表示装置にも係り、この表示装置は、ユーザが視認可能な表示領域が変化するよう相対的に移動可能な第１及び第２のディスプレイと、前記表示領域が変化する前記第１及び第２のディスプレイの間における相対的な移動を検出する検出器と、前記検出器による前記第１及び第２のディスプレイの間における前記相対的な移動の検出に応じて、有効表示領域のサイズを決定し、画像を、該有効表示領域のサイズにフィットするように変更するプロセッサと、前記第１及び第２のディスプレイのうちの少なくとも１つのディスプレイに表示するために、前記変更した画像を出力するディスプレイコントローラとを有する。
【００１６】
表示装置の一例において、前記第１及び第２のディスプレイは重複している。
【００１７】
表示装置の一例において、前記第１及び第２のディスプレイは、相対的にスライドする
【００１８】
表示装置の一例において、前記プロセッサは、前記画像のクロップ／非クロップ、前記画像のスケール、前記画像の１次元におけるストレッチ／シュリンク、の少なくともいずれか１つを実行することにより、前記画像を前記有効表示領域のサイズにフィットするように変更する。
【００１９】
表示装置の一例において、前記プロセッサは、更に、表示される画像が前記ディスプレイの中央に配置されることが維持されるよう該画像を移動する。
【００２０】
表示装置の一例において、前記検出器は、少なくとも１つの動き検出器を含む。
【００２１】
表示装置の一例において、前記動き検出器は、前記第１及び第２のディスプレイの間における相対的な移動を検出するための加速度計を含む。
【００２２】
表示装置の一例において、前記動き検出器は、前記第１及び第２のディスプレイの各々の移動を検出するための別個の加速度計を含む。
【００２３】
表示装置の一例において、前記検出器は位置検出器を含む。
【００２４】
表示装置の一例において、前記位置検出器は１又は２以上の光学センサを含む。
【図面の簡単な説明】
【００２５】
【図１】可変サイズの表示領域を有する携帯通信装置の一例を示す図。
【図２】可変サイズの表示領域に画像を表示するための携帯通信装置の表示システムを示す図。
【図３Ａ】、
【図３Ｂ】、
【図３Ｃ】可変サイズの表示領域にフィットするよう画像をクロップする処理を説明する図。
【図４Ａ】、
【図４Ｂ】、
【図４Ｃ】可変サイズの表示領域にフィットするよう画像をスケーリングする処理を説明する図。
【図５Ａ】、
【図５Ｂ】、
【図５Ｃ】可変サイズの表示領域にフィットするよう画像を引き延ばす処理を説明する図。
【図６】可変サイズの表示領域に画像を表示する方法の一例を示す図。
【発明を実施するための形態】
【００２６】
図面を参照すると、本発明の一実施形態に係る、参照番号１００で示される携帯通信装置が描かれている。携帯通信装置の一例は、スマートフォンあるいは携帯情報端末（ＰＤＡ）である。携帯通信装置１００は、無線通信機能を備えたタブレット、ラップトップコンピュータ、あるいはノートブックであってもよいことは、当業者には理解されよう。
【００２７】
携帯通信装置１００は、第１の筐体部分１０４及び第２の筐体部分１０６を有する筐体１０２を備える。第１の筐体部分（以下、上部分という。）１０４は、電子ディスプレイ１２０及び操作ボタン１２２を収容している。電子ディスプレイ１２０は、タッチスクリーンディスプレイであることが好ましいが、従来の液晶ディスプレイその他の電子ディスプレイでもよい。第２の筐体部分（以下、下部分という。）１０６も、タッチスクリーンディスプレイや液晶ディスプレイで構成される電子ディスプレイ１２４を収容している。
【００２８】
筐体１０２の上部分１０４及び下部分１０６は、図１の矢線で示すように相対的にスライドする。一実施形態においては、下部分１０６は、ユーザの視点から第２のディスプレイ１２４が上部分１０４の背後に隠された位置（隠れ位置）へとスライドすることができる。また、下部分１０６は、上部分１０４の背後から、ディスプレイ１２４がユーザに見えるように引き出すことができる。下部分１０６は、ディスプレイ１２４が全く隠れない位置（フルビュー位置）までスライド可能であり、また、ディスプレイ１２４が上部分１０４によって部分的に隠れる位置（パーシャルビュー位置）にもスライド可能である。
【００２９】
本発明によれば、携帯通信装置１００は、シングルディスプレイモード又はマルチディスプレイモードで動作することができる。シングルディスプレイモードでは、第２のディスプレイ１２４が見えないように隠され、携帯通信装置１００は第１のディスプレイ１２０に画像を出力する。マルチディスプレイモードでは、第２のディスプレイ１２４は少なくとも部分的に見えるように露出する。また、マルチディスプレイモードでは、携帯通信装置１００は、静止画又は動画を表示する際にはディスプレイ１２０，１２４を単一のディスプレイとして扱う。したがって、全有効表示領域はディスプレイ１２０，１２４の結合した表示領域となる。画像が表示されるとき、ユーザはディスプレイ１２０，１２４をスライド又は移動して有効表示領域のサイズを変更することができる。ディスプレイ１２０，１２４の移動に応じて、携帯通信装置１００は、リアルタイムに表示画像を動的に変更し、ユーザが画像を物理的に操作しているかのような印象をユーザに与える。例えば、ユーザが表示領域のサイズを拡大すればそれに応じて画像が拡大され、ユーザが表示領域のサイズを縮小すればそれに応じて画像は縮小される。
【００３０】
図２は、携帯通信装置１００の表示システム１１０の一例を示している。表示システム１１０は、画像処理プロセッサ１１２、ディスプレイコントローラ１１４、動き検出器１１６、及び、ディスプレイ１２０，１２４を備える。動き検出器１１６は、ディスプレイ１２０とディスプレイ１２４との間の相対的な移動を検出し、画像処理プロセッサ１１２に入力される信号を生成する。動き検出器１１６は、例えば、１又は２以上の加速度計を備えることができる。単一の加速度計でディスプレイ１２０とディスプレイ１２４との間の相対的な移動を検出するようにすることもできる。また、２つの加速度計を設け、それぞれの加速度計でディスプレイ１２０，１２４を別々にその移動を検出するようにしてもよい。画像処理プロセッサ１１２は、ディスプレイ１２０，１２４の各々の移動に基づいて、ディスプレイ１２０とディスプレイ１２４との間の相対的な移動を計算する。あるいは、１又は２以上の光学センサなどの位置センサ１１８を用いてディスプレイ１２０，１２４の移動を検出するようにしてもよい。この場合において、移動は、ディスプレイ１２０，１２４の絶対位置又は相対位置の変化によって示される。有効表示領域のサイズは、ユーザがディスプレイ１２０，１２４を相対的に移動させるのに応じて変化する。ディスプレイ１２０，１２４の移動に応じて、画像処理プロセッサ１１２は、ディスプレイ１２０，１２４の位置に基づき、有効表示領域のサイズを決定する。画像処理プロセッサ１１２は、有効表示領域にフィットするよう入力画像を処理する。後述するように、画像処理プロセッサ１１２は、有効表示領域にフィットするように、入力画像に対して、クロップ（crop）、スケール（scale）、ストレッチ（stretch）の少なくともいずれかを実行する。
【００３１】
画像処理プロセッサ１１２は、リサイズされた画像をディスプレイコントローラ１１４に出力する。実施形態においては、ディスプレイコントローラ１１４は、ディスプレイ１２０，１２４の各々に対する、２つの映像出力を備える。ディスプレイコントローラ１１４は、ディスプレイ１２０，１２４の位置に応じて、ディスプレイ１２０，１２４に画像データをマッピングする。ディスプレイ１２４が見えないように隠されている場合には、ディスプレイコントローラ１１４は第１のディスプレイ１２０に画像の全部をマッピングし、ディスプレイ１２０に対する映像信号を生成する。表示領域がディスプレイ１２４の部分を含む場合には、ディスプレイコントローラ１１４は全有効表示領域を単一のディスプレイとして扱い、ディスプレイ１２０，１２４に画像データをマッピングし、ディスプレイ１２０，１２４の両方に対する映像出力信号を生成する。
【００３２】
図３Ａ−３Ｃは、可変表示領域にフィットするよう画像を処理するための方法の第１の例を示している。図３Ａ−３Ｃにおいては、ディスプレイ１２０，１２４の構成が左側に示され、入力画像が右側に示されている。入力画像とディスプレイ１２０，１２４とでは、例えば６：４と４：３などの、異なるアスペクト比を有する可能性がある。この例において、画像処理プロセッサ１１２は、ディスプレイ１２４がディスプレイ１２０の背後に格納されたり背後から引き出されたりするのに応じて、クロップアルゴリズム（cropping algorithm）を実行して連続的に画像をリサイズする。ディスプレイ１２４が引き出されれば、より広い部分の画像が表示される。逆に、ディスプレイ１２４がディスプレイ１２０に背後に仕舞い込まれれば、表示される画像の部分は小さくなる。クロップアルゴリズムを用いた画像のリサイズはディスプレイ１２０，１２４の移動に応じて連続的に行われ、これによりユーザが物理的に画像を拡大したり縮小したりするような印象をユーザに与えている。
【００３３】
図３Ａにおいては、ディスプレイ１２４は見えないように隠されている。この場合、画像処理プロセッサ１１２は、入力画像のうち塗りつぶされた部分をクロップしてディスプレイ１２０にフィットさせる。この例では、画像が表示領域にフィットするよう、画像の両側が必要とされる分だけクロップされている。このかわりに、画像の片側を表示領域の端に合わせ、反対側を所定量クロップして表示領域にフィットさせるようにしてもよい。あるいは、画像の両側を表示領域のそれぞれの端に合わせ、画像の中央部を所定量クロップして表示領域にフィットさせるようにしてもよいであろう。画像がクロップされると、ユーザはナビゲーションキーなどの入力操作部を用いて画像をパンすることができる。画像がユーザによってパンされると、画像処理プロセッサ１１２は画像の新たな中央位置を決定し、その新たな中央位置を基準に画像をクロップして表示領域にフィットさせる。
【００３４】
ユーザがディスプレイ１２０の後ろからディスプレイ１２４を引き出すと、表示領域のサイズは拡大される。図３Ｂにおいては、ディスプレイ１２４のおよそ半分が見えている。この場合、画像処理プロセッサ１１２は、ディスプレイ１２０，１２４の双方を考慮して有効表示領域のサイズを決定し、その決定された表示領域にフィットするよう画像をリサイズする。入力画像はディスプレイ１２０，１２４の有効表示領域にフィットするようにクロップされる。図３Ｃにおいては、ディスプレイ１２４はその全部が見えるように全て引き出されている。この場合は、入力画像は有効表示領域にフィットしており、画像が表示領域にフィットするようクロップする必要はない。
【００３５】
図４Ａ−４Ｃは、可変表示領域にフィットするよう画像を処理するための方法の別の例を示している。この例においては、画像処理プロセッサ１１２は、ディスプレイ１２０，１２４の移動に応じて、入力画像を拡大（ズームイン）又は縮小（ズームアウト）する。図４Ａ−４Ｃにおいては、ディスプレイ１２０，１２４の構成が左側に示され、入力画像が右側に示されている。この例では、ディスプレイ１２０，１２４のアスペクト比と入力画像のアスペクト比は同じであるとする（例えば、４：３）。画像処理プロセッサ１１２は、ユーザがディスプレイ１２０，１２４を移動するのに応じて、スケールアルゴリズム（scaling algorithm）を実行して画像をリサイズする。画像処理プロセッサ１１２は、ユーザがディスプレイ１２４をディスプレイ１２０の背後から引き出すと、入力画像のサイズを拡大し、ユーザがディスプレイ１２４をディスプレイ１２０の背後側にスライドすると、入力画像のサイズを縮小する。したがって、ディスプレイ１２０，１２４の相対的な移動によって画像をズームイン又はズームアウトする便利な方法が提供される。ディスプレイ１２０とディスプレイ１２４との間の相対的な移動により画像のサイズを制御することによって、ユーザはディスプレイ１２０，１２４を動かすことで画像を物理的に拡大したり縮小できる印象をユーザに与えることができる。
【００３６】
図４Ａにおいては、ディスプレイ１２４は見えないように隠され、入力画像はディスプレイ１２０にフィットするようスケールされる。入力画像のアスペクト比はディスプレイ１２０のアスペクト比と同じなので、画像の全体がディスプレイ１２０に表示可能である。アスペクト比が異なる場合は、ディスプレイ１２０の高さ又は幅にフィットするように画像をスケールし、クロップすることができる。図４Ｂ及び図４Ｃはそれぞれ、パーシャルビュー位置及びフルビュー位置におけるディスプレイ１２４を示している。表示領域が広くなるにつれて、入力画像はディスプレイ領域の幅にフィットするよう入力画像がスケールされ、その画像の上部及び下部がクロップされる。もっとも、その代わりに、あるいは追加で、表示領域の高さにフィットするようにスケールしてもよいことは当業者は認識するであろう。
【００３７】
図５Ａ−５Ｃは、可変表示領域に表示する画像を処理する方法の第３の例を示している。この例においては、ディスプレイ１２０，１２４の移動によって画像のストレッチ／非ストレッチが制御される。図５Ａ−５Ｃに示される例では、オリジナル画像のアスペクト比とディスプレイ１２０，１２４のアスペクト比は同じであるとする（例えば、４：３）。図５Ａに示されるように、ディスプレイ１２４が見えないように隠されたときは、画像はディスプレイ１２０に表示される。画像のアスペクト比はディスプレイ１２０のアスペクト比と同じなので、画像の全体が表示される。ディスプレイ１２０のアスペクト比と入力画像のアスペクト比が違う場合は、ディスプレイ１２０の表示領域にフィットするよう画像をクロップしてもよい。
【００３８】
図５Ｂ及び図５Ｃはそれぞれ、パーシャルビュー位置及びフルビュー位置におけるディスプレイ１２４を示している。ディスプレイ１２４がディスプレイ１２０の背後から引き出されると、オリジナル画像は、ディスプレイ１２０，１２４の結合表示領域いっぱいに収められるように水平方向にストレッチされる。画像処理プロセッサ１１２は、モーフィング・アルゴリズム（morphing algorithm）を実行して、水平方向に画像をストレッチしユーモラスな効果を与えることができる。かわりに、画像処理プロセッサ１１２は、シーム・カービング・アルゴリズム（seam carving algorithm）ともよばれる、Content-Aware Image-Resizingアルゴリズムを実行してよい。シーム・カービング・アルゴリズムは、画像の一端側から他端側までの行又は列に沿う一連の隣り合う画素で構成されるシーム（seams）を操作するものである。１シームの全画素を削除することで１画素ずつ高さ又は幅を小さくできる。逆に、画素の行又は列を追加することで、画像の高さ又は幅を大きくすることができる。シームの挿入又は削除を繰り返すことで、任意の量のストレッチまたはシュリンク（shrinking）を行うことができる。
【００３９】
シーム・カービング・アルゴリズムは一般に、画像をスキャンし、「重要度（interestingness）」の最も小さいシームを探す。例えば、画像を一次元分シュリンクするときは、シーム・カービング・アルゴリズムは、幅方向の画素系列のうち、色及び／又はコントラストの変化量が最も小さいものを探す。そのシームを削除することにより、１画素幅分、その画像の次元を削減することができる。同様にして、シームを重複させることにより画像の幅を拡げることもできる。
【００４０】
ユーザがディスプレイ１２０の背後からディスプレイ１２４を引き出したときは、モーフィング・アルゴリズム又はシーム・カービング・アルゴリズムを用いて画像を水平方向にストレッチすることができる。逆に、ディスプレイ１２４がディスプレイ１２０の背後方向に差し入れられて表示領域が小さくされたときは、画像は水平方向にシュリンクされる。したがって、ユーザはディスプレイ１２０，１２４を相対的に移動させることで画像をストレッチ又はシュリンクしているような印象をユーザに与えることができる。
【００４１】
図６は、携帯通信装置１００によって実行される方法２００を示す図である。携帯通信装置１００は、第１の表示領域にフィットするように画像を表示する（ステップ２０２）。第１の表示領域は、シングルディスプレイ１２０，１２４の一部、又は、マルチディスプレイ１２０，１２４の一部を含むことができる。携帯通信装置１００が第１の表示領域にフィットさせるために画像のクロップ、スケール、ストレッチ、又はシュリンクを行うことができることは、当業者は認識するであろう。ユーザがディスプレイ１２０，１２４を相対的に移動させて有効表示領域のサイズを変更したとき、携帯通信装置１００は、その移動を検出し（ステップ２０４）、有効表示領域のサイズを決定し（ステップ２０６）、表示画像を第２の表示領域にフィットするよう動的に変更する（ステップ２０８）。画像を新たな表示領域にフィットさせるためには、画像のクロップ、スケール、ストレッチ、又はシュリンクなどを行うことができることは上述したとおりである。ディスプレイ１２０，１２４が移動されている間は、任意のアルゴリズムを用いて画像フィッティング処理が連続的に行われ、これにより、ユーザがディスプレイ１２０，１２４を動かすことで物理的に画像を拡大したり縮小したりするような印象をユーザに与える。
【００４２】
本発明は、発明の本質的な特徴から逸脱することなく本明細書に開示した特定の実施形態とはことなる手法で実施可能であることはいうまでもない。本明細書に開示した実施形態は例示にすぎないものであって発明をそれに限定するものではなく、添付の特許請求の範囲の主旨及びその均等の範囲内におけるあらゆる改変は本発明に包含される。
【図１】
2012502580.tif 000003
【図２】
2012502580.tif 000004
【図３Ａ】
2012502580.tif 000005
【図３Ｂ】
2012502580.tif 000006
【図３Ｃ】
2012502580.tif 000007
【図４Ａ】
2012502580.tif 000008
【図４Ｂ】
2012502580.tif 000009
【図４Ｃ】
2012502580.tif 000010
【図５Ａ】
2012502580.tif 000011
【図５Ｂ】
2012502580.tif 000012
【図５Ｃ】
2012502580.tif 000013
【図６】
2012502580.tif 000014
【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
ユーザが視認可能な表示領域が変化するよう相対的に移動可能な第１及び第２のディスプレイ（１２０，１２４）と、
静止画又は動画である画像の表示中に、前記ユーザが視認可能な表示領域が変化する前記第１及び第２のディスプレイ（１２０，１２４）の間における相対的な移動を検出する検出器（１１６，１１８）と、
前記検出器（１１６，１１８）による前記第１及び第２のディスプレイ（１２０，１２４）の間における前記移動の検出に応じて、前記ユーザが視認可能な表示領域のサイズを決定し、前記画像を、該ユーザが視認可能な表示領域のサイズにフィットするように動的に変更するプロセッサ（１１２）と、
前記第１及び第２のディスプレイ（１２０，１２４）のうちの少なくとも１つのディスプレイに表示するために、前記変更した画像を出力するディスプレイコントローラ（１１４）と、
を有することを特徴とする表示装置（１００）。
【請求項２】
前記第１及び第２のディスプレイ（１２０，１２４）は重複していることを特徴とする請求項１に記載の表示装置（１００）。
【請求項３】
前記第１及び第２のディスプレイ（１２０，１２４）は、相対的にスライドすることを特徴とする請求項２に記載の表示装置（１００）。
【請求項４】
前記プロセッサ（１１２）は、前記画像のクロップ／非クロップ、前記画像のスケール、前記画像の１次元におけるストレッチ／シュリンク、の少なくともいずれか１つを実行することにより、前記画像を前記ユーザが視認可能な表示領域のサイズにフィットするように変更することを特徴とする請求項１に記載の表示装置（１００）。
【請求項５】
前記プロセッサ（１１２）は、更に、前記変更された画像が前記ディスプレイ（１２０，１２４）の中央に配置されることが維持されるよう該画像を移動することを特徴とする請求項４に記載の表示装置（１００）。
【請求項６】
前記検出器（１１６，１１８）は、少なくとも１つの動き検出器（１１６）を含むことを特徴とする請求項１に記載の表示装置（１００）。
【請求項７】
前記動き検出器（１１６）は、前記第１及び第２のディスプレイ（１２０，１２４）の間における相対的な移動を検出するための加速度計を含むことを特徴とする請求項６に記載の表示装置（１００）。
【請求項８】
前記動き検出器（１１６）は、前記第１及び第２のディスプレイ（１２０，１２４）の各々の移動を検出するための別個の加速度計を含むことを特徴とする請求項６に記載の表示装置（１００）。
【請求項９】
前記検出器（１１６，１１８）は位置検出器（１１８）を含むことを特徴とする請求項１に記載の表示装置（１００）。
【請求項１０】
前記位置検出器（１１８）は１又は２以上の光学センサ（１１８）を含むことを特徴とする請求項９に記載の表示装置（１００）。
【国際調査報告】
2012502580.tif 000015
2012502580.tif 000016
2012502580.tif 000017